(57)【要約】【課題】  既存の搭載パーツの取り付けスペースに干渉することなく、スピーカ、及び低音域再生に充分な容量のエンクロージャを備えるパチンコ機を提供する。【解決手段】  一定の間隔を置き重ねて配置した２枚の透明ガラス２４ａ、２４ｂ（前面ガラス）をガラス枠２２に対し開閉可能に蝶着する。透明ガラス２４ａ、２４ｂの外周部分にガラスフレーム枠２５を取り付け、透明ガラス２４ａと２４ｂとを一定の間隔に保持すると共に、外周部の通風部分を密閉する。遊技盤から遠い側の透明ガラス２４ｂの、遊技領域上から外れた位置に切り欠き部２６を形成し、スピーカ７を取り付ける。これにより２枚の透明ガラス２４ａ、２４ｂ間を、ガラスフレーム枠２５とスピーカ７によって密閉空間構造とした、スピーカ７用のエンクロージャとして使用することができる。【選択図】    図２
2006320389.tif 000002
【特許請求の範囲】
【請求項１】
遊技盤の前面側に重ねて配置される２枚の透明部材を備えた遊技機において、
前記２枚の透明部材同士を一定の間隔を置いて配設させると共に、該２枚の透明部材の外周部が密閉状態となるように透明部材の外周部分に取り付けられるフレーム枠と、
遊技状況に対応して演出効果音を出力すると共に、前記２枚の透明部材のうちの前記遊技盤から離れた位置に配置される透明部材をバッフル面として用い、該面に形成された取り付け部に取り付けられるスピーカと、
前記２枚の透明部材と前記フレーム枠と前記スピーカとによって前記２枚の透明部材間に形成される密閉空間構造からなる前記スピーカ用のエンクロージャとを有することを特徴とするパチンコ機。
【請求項２】
前記エンクロージャは、ダクトを備えたバスレフ型エンクロージャであることを特徴とする請求項１に記載のパチンコ機。
【請求項３】
前記スピーカは、遊技者から見て、前記遊技盤上に形成されている遊技領域と重ならない位置に配設されていることを特徴とする請求項１または２に記載のパチンコ機。
【請求項４】
前記バスレフダクトは、遊技者から見て、前記遊技盤上に形成されている遊技領域と重ならない位置に配設されていることを特徴とする請求項１から３のいずれかに記載のパチンコ機。
【請求項５】
前記スピーカは、前記遊技者に向かって前面側に配設されていることを特徴とする請求項１から４のいずれかに記載のパチンコ機。
【請求項６】
前記バスレフダクトの開口部は、前記遊技者に向かって形成されていることを特徴とする請求項１から５のいずれかに記載のパチンコ機。
【発明の詳細な説明】
【技術分野】
【０００１】
本発明は、遊技状況に応じて音声を発生するスピーカシステムを備えたパチンコ機、特に、低音領域の再生能力を有するスピーカシステムを備えたパチンコ機に関するものである。
【背景技術】
【０００２】
従来からパチンコ機等の遊技機では、遊技の状況に合わせて音声等の効果音を発生させ、遊技者の興趣を高める演出を行っていた。そしてこの効果音を出力するためにスピーカが使用されていた。しかし最近の遊技機、とりわけパチンコ機においては、映像やアニメーションと同期した音声（サンプリング音源等を用いた生の音声）をＣＤと同じレベルのサンプリングデータで保存し再生しており、電気的な音声の高い品質が求められているが、従来のスピーカでは十分にその要求に応えることができなかった。特に、保存された音声データの内容を効果的に遊技者へ伝達するためには低音領域を充分に再生できる能力を備えたスピーカであることが必要であり、パチンコ機に取り付けるスピーカ部分の設計時においては、この充分な低音領域の再生という点が課題となっていた。
【０００３】
ところで低音領域の充分な再生は、口径の大きいスピーカユニットを使用することによって実現できる。しかしながら、現状のパチンコ機ではそのスピーカユニットの占有面積が大きすぎるため、搭載することは設計上不可能である。従って、小口径のスピーカユニットを採用せざるをえないが、小口径のスピーカユニットでは低域再生限界周波数（Ｆ0）が高くなってしまい、スピーカのみによる低域再生能力が不十分である。そこでこの低域不足を補うために、スピーカの能力を最大に引出し、更にバッフル効果、共鳴効果等を利用できるエンクロージャを用いることが必要となってくる。ところがエンクロージャ自体が容積を有しているため、現状のパチンコ機ではエンクロージャ用の充分な容積を持った空間を確保することが困難である。そのため、現状のパチンコ機では、低域再生能力としては容量不足のエンクロージャを採用したり、スピーカユニットを直接、筐体部分に取り付け（エンクロージャを使用しないで）、充分な低音再生能力を引き出すことができないまま、製品化されている。また、現状のパチンコ機では、他の搭載パーツが既にそれぞれの場所を占有しているため、スピーカユニット及びエンクロージャを取り付けるための新たな専用スペースを確保するのは大変困難である。
【０００４】
このような課題を解決すべく下記に示す特許文献１には、パチンコ機の裏面側にスピーカユニットとエンクロージャを配設し、裏面から前面に延びる音響的なパイプを設け、裏面側のスピーカから出力される音声を前面側に導くようにしたものが開示されている。
また、下記に示す特許文献２には、パチンコ機の前面側に設けられているガラス板を振動板（通常のスピーカのコーン紙にあたる部分）として使用し、ガラス板を振動させる駆動ドライバーを設け、駆動源の振動を直接ガラス板に伝えて、ガラス自体を振動させるようにしたものが開示されている。
また、下記に示す特許文献３には、圧電式振動子から構成されるシート状のスピーカを遊技機の前面、特に、前面ガラスに密着して、若しくは少し間隔を置いて配置するものが開示されている。
また、下記に示す特許文献４には、遊技機の構成部材（例えば、樹脂成形部材や前面のガラス板）に振動駆動手段（例えば、圧電式スピーカユニット）を貼り付けて構成部材の共振を利用して音声を発生させるものが開示されている。
【０００５】
【特許文献１】特開２００４−２２９１８３号公報
【特許文献２】特開平７−８６０１号公報
【特許文献３】特開平１０−２１６３２５号公報
【特許文献４】特開２００３−１３５８０４号公報
【発明の開示】
【発明が解決しようとする課題】
【０００６】
しかしながら、上記特許文献１のパチンコ機では、裏面側に配設されたエンクロージャと音声の放出面であるパチンコ機の前面とをつなぐパイプが必要になるが、このパイプによる空間はある固有の共鳴周波数帯域を有しているため、安定した（フラットな）周波数特性を得られず設計が困難であるという不具合があった。また、パチンコ機では前述した理由により小口径スピーカユニットを用いているため、振動板面積が小さく、音圧が低くなる傾向にあり、より充分な音圧を得るためには、スピーカ振動板から直接輻射される音声を用いて効率良く音圧を向上させたいが、特許文献１のパチンコ機では、スピーカユニットの振動板がパチンコ機の前面側、即ち、遊技者側に露出していないので、振動板から放出される音声エネルギーが直接、遊技者に伝達されず、効率が悪いという不具合もあった。
【０００７】
また、一般的にパチンコ機で経験上、低域を充分に再生するためにはスピーカユニットの低域再生限界周波数が略Ｆ0≦１００Ｈｚであることが知られているが、上記特許文献２のパチンコ機では、振動板として使用するガラス自体の共振周波数が数百ヘルツ程度であるため低域再生用としては適当でないという不具合があった。
また、上記特許文献３の遊技機では、シート状の圧電素子は、振動板自体のストロークが低域再生には不十分であり、同様の理由で音圧が大きく採れないという不具合があった。
また、上記特許文献４の遊技機では、振動板として使用する樹脂成形部材や前面のガラス板の質量が重いため振動し難く、また、共振周波数が高いため低域再生としては適当でないという不具合があった。
【０００８】
そこで、本願発明はこのような事情に鑑みてなされたものであり、既存の必要機能（搭載パーツ）の取り付けスペースに干渉することなく、スピーカ、及び低音域再生に充分な容量のエンクロージャを備えたパチンコ機の提供を目的とするものである。
【課題を解決するための手段】
【０００９】
上記課題を解決するために、請求項１に係るパチンコ機の発明は、遊技盤の前面側に重ねて配置される２枚の透明部材を備えた遊技機において、前記２枚の透明部材同士を一定の間隔を置いて配設させると共に、該２枚の透明部材の外周部が密閉状態となるように透明部材の外周部分に取り付けられるフレーム枠と、遊技状況に対応して演出効果音を出力すると共に、前記２枚の透明部材のうちの前記遊技盤から離れた位置に配置される透明部材をバッフル面として用い、該面に形成された取り付け部に取り付けられるスピーカと、前記２枚の透明部材と前記フレーム枠と前記スピーカとによって前記２枚の透明部材間に形成される密閉空間構造からなる前記スピーカ用のエンクロージャとを有することを特徴とするものである。パチンコ機に取り付けることができる小口径のスピーカによっても充分な低音域を再生することができるように、共鳴するのに充分な容積を持つ密閉された空間（エンクロージャ）を設ける。２枚の透明部材とその外周部に取り付けられたフレーム枠によって囲われ形成された空間は、パチンコ機において他の機能部品、搭載パーツと干渉しないスペースであって、且つ、必ずパチンコ機には備えられている部分である。
【００１０】
ここで、エンクロージャの作用としては、主に次の３つが挙げられる。先ず、スピーカ振動板の前後の空間を物理的に区切り、振動板の表面から輻射される音声と裏面から輻射される音声とを互いに分離させて混じらなくさせる作用がある。振動板正面と裏面から輻射される互いに位相が逆（１／２波長ずれている）になる音声は、それぞれ聴取位置までの距離がほぼ同一であると、互いに相殺され、聴取位置では音圧が極端に低下してしまうという現象が発生する。そこで、完全に分離するためには、振動板の前後を１枚の板で隔てるだけではなく、スピーカの背面を箱状に囲い込んでしまうのが理想であり、その結果、ボックス形状であるエンクロージャ構成となった。また、本案ではエンクロージャのスピーカが取り付けられた前面をバッフル面と呼ぶ。
【００１１】
また、エンクロージャを設け、裏面から音声を閉じ込めることで、分離する以外に裏面の音声を最終的に熱エネルギー等に変換し減衰させてしまう作用がある。さらに、一般的にスピーカ単体では、スピーカ振動板の重量とスピーカ振動板を構造的に支えているダンパー及びエッジのバネ力が相互に作用して振動を行い、振動の共振点（Ｆｏ：最低共振周波数）を持ち、Ｆｏ（最低共振周波数）は、そのスピーカの振動板質量とエッジ・ダンパーのバネ力によってのみ決定される。スピーカユニット（スピーカとスピーカ枠から構成されるもの）は、共振点（最低共振周波数）以上の周波数領域の音声のみを再生できる。スピーカユニットをエンクロージャに取り付けると、エッジ・ダンパーのバネ力にエンクロージャ内の空気圧によるバネ力が加わってＦoｃ（エンクロージャによる最低共振周波数）が決定される。エンクロージャ内空気のバネ力は、エンクロージャ容積、スピーカ振動板半径によって決定される。一般的にスピーカユニットをエンクロージャに取り付けると、エッジ・ダンパーのバネ力にエンクロージャ内空気のバネ力が加わることで、スピーカ振動板は動き難くなりエンクロージャに取り付けたＦoｃはＦｏより高くなる。
【００１２】
また、請求項２に係るパチンコ機の発明は、請求項１に記載の発明において、前記エンクロージャは、ダクトを備えたバスレフ型エンクロージャであることを特徴とするものである。
【００１３】
また、請求項３に係るパチンコ機の発明は、請求項１または２に記載の発明において、前記スピーカは、遊技者から見て、前記遊技盤上に形成されている遊技領域と重ならない位置に配設されていることを特徴とするものである。
【００１４】
また、請求項４に係るパチンコ機の発明は、請求項１から３のいずれかに記載の発明において、前記バスレフダクトは、遊技者から見て、前記遊技盤上に形成されている遊技領域と重ならない位置に配設されていることを特徴とするものである。
【００１５】
また、請求項５に係るパチンコ機の発明は、請求項１から４のいずれかに記載の発明において、前記スピーカは、前記遊技者に向かって前面側に配設されていることを特徴とするものである。
【００１６】
また、請求項６に係るパチンコ機の発明は、請求項１から５のいずれかに記載の発明において、前記バスレフダクトの開口部は、前記遊技者に向かって形成されていることを特徴とするものである。
【発明の効果】
【００１７】
本発明に係るパチンコ機によれば、前面透明部材間の空間を利用することにより、低音域再生に充分な容量のエンクロージャを備えることができる。
また、前面２枚の透明部材間の空間を利用したエンクロージャを設け、従来利用されていない透明部材間の隙間領域を活用することで、パチンコ機として必要な機能を実現するための部品の取り付けスペースとして占有していた領域に干渉することなく、スピーカ及びエンクロージャのスペースを確保することができる。
さらに、ガラス部材は空気を通過させないので密封性を保つことが容易であり、低域再生におけるエンクロージャとしての作用、さらにスピーカのコーン紙の前面と背面の音声を遮断するバッフル材としての作用を充分に期待することができる。
【発明を実施するための最良の形態】
【００１８】
以下、本発明に係るパチンコ機の実施の形態を添付図面に基づいて説明する。
図１は、パチンコ機の一形態を示す正面図である。このパチンコ機１は、遊技領域５の略中央部にいわゆるセンター役物として複数の図柄を変動表示あるいは停止表示させる可変表示装置２を備えたパチンコ機である。図示を省略する発射装置から遊技球が打ち出され、打ち出された遊技球が所定の入賞口へ入賞すると、その入賞に基づいて可変表示装置２に複数の図柄（数字や絵柄等）が所定時間変動表示される。所定時間経過後に抽選によって乱数の中から選択された図柄が停止表示され、その停止表示された図柄が予め定められた特定の組み合わせ図柄の場合、大入賞口３が所定時間連続して開放し遊技球の入賞し易い状態となって短時間で多くの賞球を得ることが可能となり、遊技者に有利な特別遊技状態（大当たり状態）が発生する。入賞口への遊技球の入賞、可変表示装置２における図柄の変動表示、大当り状態の発生等に対応してこれらの遊技状況を演出するために音声等の効果音がスピーカ７、７'、７"から出力される。
尚、図１に示す実施の形態では図柄の変動表示等を行う可変表示装置を備えたパチンコ機について説明するが、この形態に限定されるものではなく遊技状況に対応した効果音をスピーカから出力している形態のパチンコ機であればよい。
【００１９】
パチンコ機１は、外枠２０を備え、外枠２０の前面側には、外枠２０に対して開閉可能に額縁状の内枠２１が蝶着され、内枠２１内、即ち、額縁の内側には、遊技盤が内枠２１に対して着脱可能に取り付けられている。また、内枠２１の前面側には、遊技盤の前面を覆うように、内枠２１に対して開閉可能にガラス枠２２が蝶着されている。図２（ａ）に示すように、ガラス枠２２の中央部には、窓部２３が形成されており、その窓部２３を塞ぐように、ガラス枠２２に対し透明部材（例えば、透明ガラス、透明樹脂等）２４が蝶着されている。透明ガラス２４は、２枚の略同形状のもの２４ａ、２４ｂが、一定の間隔を置いて、重ねて配置されている。２枚の透明ガラス２４ａ、２４ｂの外周部分には、ガラスフレーム枠２５が取り付けられている。このガラスフレーム枠２５によって透明ガラス２４ａと２４ｂとは一定の間隔を置いた位置に保持されると共に、透明ガラス２４ａ、２４ｂの外周部の通風部分は密閉される。即ち、２枚の透明ガラス２４ａ、２４ｂ間には、その外周部をガラスフレーム枠２５によって密閉された空間部が形成されている。
【００２０】
２枚の透明ガラス２４ａ、２４ｂのうち、遊技盤に近い側の透明ガラスを透明ガラス２４ａとし、遊技盤から遠い側の透明ガラスを透明ガラス２４ｂとすると、透明ガラス２４ｂにはスピーカ７が取り付けられている。スピーカ７は、図２（ｂ）に示すように、透明ガラス２４ｂに形成された取り付け部としての取り付け穴２６にパチンコ機１の前方向、即ち、遊技者側を向くように取り付けられている。取り付け穴２６は、ガラス枠２２を閉じたとき遊技盤の遊技領域５上を覆う領域を避けて形成されている。即ち、遊技領域に打ち出された遊技球の流下の遊技者の視認を妨げない位置に形成されている。これにより、ガラス枠４の奥側（透明ガラス２４ａ、２４ｂの裏側）は、該ガラスを透して遊技者側から遊技盤が視認可能な状態であり、ガラス枠４の窓部の大きさに対応して、即ち、透明ガラスを透して遊技者が視認可能な遊技盤上の位置に遊技領域５が形成されている。
【００２１】
透明ガラス２４ｂに形成された取り付け穴２６にスピーカ７が取り付けられることにより、２枚の透明ガラス２４ａ、２４ｂ間は、ガラスフレーム枠２５とスピーカ７によって密閉空間構造とされ、スピーカ７用のエンクロージャを形成している。
【００２２】
遊技盤上には、発射装置から打出された遊技球を誘導する略円弧状の外レール８ａ及び内レール８ｂが設けられ、この二つのレール８ａと８ｂによって囲まれた部分が遊技領域５を形成している。遊技球はこの遊技領域５を流下し、また遊技球が遊技領域５に設けられている入賞口に入賞する等の所定の条件を満たすと予め定められた賞球が払い出される。遊技領域５の略中央には可変表示装置２が設けられ、この可変表示装置２には、図柄の変動表示が行われる可変表示部９が設けられている。可変表示部９には、左表示部９ａ、中表示部９ｂ、右表示部９ｃの３つの表示部が設けられ、それぞれの表示部には、複数の図柄が独立して変動表示、および停止表示される。可変表示装置２の下側には始動入賞口１０が設けられており、この始動入賞口１０への遊技球の入賞に基づいて可変表示部９に図柄の変動表示動作が開始される。始動入賞口１０の下側には、可変表示部９ａ〜９ｃに特定の図柄が停止表示したとき、例えば、「７」、「７」、「７」のように同じ図柄が３つ停止表示したとき（以下、大当たり状態ともいう）に所定時間継続して開放状態となる大入賞口３が設けられている。
【００２３】
また、遊技盤の前面を覆うガラス枠４には、特定の遊技状態であること、例えば、大当り遊技状態であることを表示する複数の表示灯６、あるいは遊技のエラー状態である賞球払出しエラー等を表示する表示灯６'が設けられている。また、ガラス枠４の下方部には、球皿部１３を備えた一体皿１４が配設されている。一体皿１４の右側下部には遊技者の回転操作によって発射装置から発射される遊技球の発射強度、即ち、遊技球の飛距離を調整するためのハンドルグリップ１８が設けられている。
尚、パチンコ機の形態は、図１に示すような、可変表示装置に図柄が変動表示される形態に限定されるものではなく、遊技内容に対応して音声が発生されるものであればよい。
【００２４】
以下、２枚の透明ガラス２４ａ、２４ｂ等によって形成されるエンクロージャの構成を詳述する。図３は、そのエンクロージャの一形態を示したものであり、遊技者側から見た正面図である。
２枚の透明ガラス２４ａ、２４ｂが重ねて配置され、その外周部がガラスフレーム枠２５によって固定されている。透明ガラス２４ａ、２４ｂは、ガラスフレーム枠２５に設けられたヒンジ２７を介してガラス枠２２に取り付けられる。透明ガラス２４ａと２４ｂ間の距離は、ガラスフレーム枠２５による固定によっていずれの場所においても約１０ｍｍに保持されていて、ガラスフレーム枠２５はスペーサー的作用を奏している。また、ガラスフレーム枠２５は、樹脂等の部材からなり、透明ガラス２４ａと２４ｂとの外周部分の空間を封止している。外周部の密閉効果を高めるために、接着剤によってガラスの周辺部とガラスフレーム枠２５とを接着するようにしてもよい。各透明ガラス２４ａ、２４ｂの形状は、上側を弧状態とする略つり鐘型を有しており、その面積は約１６００ｃｍ2（約４０ｃｍ×４０ｃｍ）である。上記のように透明ガラス間は約１０ｍｍであるため、透明ガラス２４ａと２４ｂ間には約１６００ｃｃの空間が形成される。
【００２５】
透明ガラス２４ｂ（遊技者側に配置される透明ガラス）の、図３において左下部分には、スピーカ７が取り付けられている。スピーカ７としては、一般的に広く使用されている動電形（ダイナミック形）のものが使用される。その構造は、概略、永久磁石を中心とした磁気回路と、コーン振動板を中心とした振動系と、磁極空隙に懸垂されたボイスコイルとからなり、ボイスコイルの振動力により振動板が動作する。尚、この形態に限定されるものではなく、電磁形（マグネット形）スピーカ、圧電形スピーカ等であってもよい。
【００２６】
図４に、透明ガラス２４ｂに動電形のスピーカ７を取り付ける場合を示す。図４（ａ）は、透明ガラス２４ｂに取り付けられる以前のスピーカ７及びスピーカ枠２８、及び透明ガラス２４ｂに形成されている取り付け穴２６を示したものである。図４（ｂ）は、スピーカ７をスピーカ枠２８に取り付けた状態を示している。スピーカ７はネジ等の固定手段によってスピーカ枠２８に取り付け固定される。スピーカ枠２８の厚さは、スピーカ７の厚さよりも薄く形成され、スピーカ７の後方マグネット部分の一部が、スピーカ枠２８からその厚さ方向に突出した構造を有している。
【００２７】
図４（ｃ）は、透明ガラス２４ｂにスピーカ７（スピーカ枠２８に固定されたスピーカ７）を取り付けた状態を示している。スピーカ７はスピーカ枠２８にネジ止め等によって固定され、そのスピーカ枠２８（正確には固定部２８ａ）が透明ガラス２４ｂに接着剤、粘着性両面テープ、ネジ止め等で固定されている。ここで、図２（ｂ）に示すように、アダプター４１（例えば、樹脂で形成されたもの）を介して透明ガラス２４ｂに取り付けると、より容易に取り付けることができ、その場合には、スピーカ枠２８をアダプター４１に接着剤、粘着性両面テープ、ネジ止め等で固定し、さらにそのアダプター４１が透明ガラス２４ｂに接着剤や粘着性両面テープ等によって固定される。スピーカ枠２８は透明ガラス２４ｂに形成された取り付け穴２６と略同じ大きさに形成されており、スピーカ枠２８に固定されたスピーカ７と共に、取り付け穴２６を塞ぐように取り付けられる。
【００２８】
このようにして取り付け穴２６はスピーカ７（スピーカ枠２８に固定されたスピーカ７）によって塞がれ、透明ガラス２４ａ、２４ｂ間の空間の密閉性は保持される。音響的に低音域での共鳴効果を得るためには、口径１０ｃｍ以下のスピーカでは１０００ｃｃ以上のエンクロージャ容積を必要とするが、上記のような構成によって形成される透明ガラス２４ａ、２４ｂ間の空間の容積は、充分にこの値を確保できるものである。従って、透明ガラス２４ａ、２４ｂ間の空間をスピーカの共鳴空間、即ち、エンクロージャとして使用し、低音領域（１００Ｈｚ〜２００Ｈｚの領域）を充分に再生することができる。
【００２９】
スピーカ７を含むスピーカ枠２８は透明ガラス２４ａと２４ｂ間の間隔よりも厚い厚さを有している。従って、スピーカ枠２８及びそれに固定されたスピーカ７を透明ガラス間の空間内に収納することはできず、図４（ｃ）に示すように、スピーカ７を含むスピーカ枠２８は、その一部分が透明ガラス２４ｂの上面よりも突出した状態で取り付けられる。具体的な寸法としては、透明ガラス２４ａ、２４ｂ間の距離は上述したように約１０ｍｍであるのに対して、スピーカ７は、例えば約３５ｍｍの厚さを有している。
【００３０】
スピーカ枠２８の取り付けは、動電形（ダイナミック形）であるスピーカ７の背面側から出力される音が透明ガラス２４ａ、２４ｂ間の空間に充分に伝達されるように、透明ガラス間の空間とスピーカ７のコーン振動板の背面側に形成される空間とが連続的に繋がるように取り付けることが必要である。具体的には、スピーカ７が固定されているスピーカ枠２８によって、スピーカ７のコーン振動板の背面側に形成される空間と透明ガラス間の空間とが遮断されないようにスピーカ枠２８を取り付ける。また、動電形（ダイナミック形）のスピーカ７を構成するマグネット（スピーカの背部分に位置するもの）の後側にゴム等の振動吸収材を貼り付け、マグネットと透明ガラス２４ａ（遊技盤側に配置される透明ガラス）との隙間を充填し、マグネットを透明ガラス２４ａの面に固定する。これによりスピーカ７の位置を安定させ、磁気回路部の重さによる負荷を軽減しスピーカ７の寿命を確保することができると共に、透明ガラス２４ａへのマグネットの衝突を無くし透明ガラスの破損を防止することができる。
【００３１】
図５は、パチンコ機１のガラス枠２２を閉じたときのスピーカ７の状態を示している。図３に示す位置にスピーカ７が取り付けられ、さらに透明ガラス２４ａ、２４ｂがガラスフレーム枠２５のヒンジ２７を介してガラス枠２２に取り付けられている。図３に示すように透明ガラス２４ａ、２４ｂは上側を弧状態とする略つり鐘型を有しているのに対して、ガラス枠２２の中央部に形成された窓部２３は略楕円形を有しており、透明ガラスとガラス枠とを組み合わせた場合、透明ガラス２４ｂ上のスピーカ７は、遊技球が通過する可能性のある遊技領域５と重ならない位置に配設されている。これにより遊技者の遊技状況の視認性を従来と同様に確保することができる。
【００３２】
また、上述したように、スピーカ７を含むスピーカ枠２８の一部分が透明ガラス２４ｂの上面よりも突出した状態で取り付けられており、この一部が図５（ａ）、（ｂ）に示すように、さらにガラス枠２２の前面よりも突出して配置されることもあるが、遊技者の遊技状況の視認性には全く影響を与えることはない。このように考えたとき、スピーカ７を配設する位置としては、ガラス枠４の上下左右の４つの端部が好ましい。また、スピーカ７から出力される音声の出力方向を遮断して周波数帯域が狭くならないように、スピーカ７のコーン振動板の前面側には、他の部材を配置しない構造にする。
【００３３】
また、図３において、エンクロージャのバッフル面である透明ガラス２４ｂの右下部分には、スピーカ７の振動板より小さい断面積を有する開口部２９ａ及びそれに連通する筒状のダクト２９ｂが形成されている。ダクト２９ｂの断面積は、いずれの位置においても同一であることが望ましい。この開口部２９ａ及びダクト２９ｂは、スピーカ７の振動板背面から出力された音を、開口部２９ａ及びダクト２９ｂを経由して遊技者側に輻射させるためのものである。このようなエンクロージャ方式をバスレフ方式と呼ぶ。バスレフ方式では、スピーカ７の振動板によるエンクロージャ内部の空気振動（裏面から輻射されている低域音声）によって、細いダクト部分を音が高速で出入する動作を行う。その際、ヘルムホルツの共鳴現象によって、ある特定領域の低域周波数における共鳴作用が発生し、その結果、ある特定領域の低域を効率良く増強（強調）させることができる。
【００３４】
スピーカ７の振動板の表側から直接輻射される音が遊技者（聴取者）に届く間に、同時に振動板裏面から発生した音がエンクロージャ内を通り、ヘルムホルツの共鳴効果を発生しながらダクトを経由し、遊技者に届く場合を想定すると、後者のダクトを経由した音は、直接音に比べ到達距離が長く、到達時間が長くかかるので、到達時間が遅れる（遊技者の場所では位相が遅れる）ことになる。このとき、位相が１／２波長遅れる周波数およびその整数倍の周波数は、直接音と互いに相殺し、その結果、音圧が低下する。一方、位相が１波長遅れる周波数およびその整数倍の周波数は、直接音と互いに増強し合って、その結果、音圧は増加する。このようにしてバスレフ方式を用いることにより、スピーカシステムを設計する際に、低域周波数の音圧が増強される周波数を、より強調したい周波数に設定することで、通常密閉型エンクロージャでは得られない低域増強効果を得ることができる。
【００３５】
開口部２９ａから放出される音の周波数は、ダクト２９ｂの大きさ（長さ、幅、高さ等）及び開口部２９ａの大きさによって設定することができる。従って、再生したい低域周波数の音が開口部２９ａから放出されるようにダクト２９ｂの大きさを設定し、エンクロージャとダクトの共鳴効果を利用して低域周波数（１００Ｈｚ〜２００Ｈｚ領域の周波数）の音圧を増強し低音域を充分に再生することができる。このように図３では、特定周波数の音圧を増強することができる、いわゆるバスレフ方式のエンクロージャが構成されている。尚、開口部２９ａから延びるダクト２９ｂの方向は左方向に限定されるものではなく、右方向、上、下方向等のいずれの方向であってもよく、同様の効果を得ることができる。また、この形態では、バスレフダクトの開口部２９ａを透明ガラス２４ｂに形成する場合について記載したが、この形態に限定されず、例えば、透明ガラス２４の側面側に設けられたガラスフレーム枠２５、あるいは後側に配設されている透明ガラス２４ａに開口部を形成し、そこからパイプ等のダクトを用いて開口部を遊技者側に引き出すような形態としてもよい。
【００３６】
パチンコ機の前面部に配置されている透明ガラス２４ａ、２４ｂを利用することにより、透明ガラス２４ａと２４ｂ間に形成される空間部の高い密閉性を確保することができ、低域再生におけるエンクロージャとしての効果を充分に期待することができると共に、スピーカ７のコーン紙の前面と背面の音を遮断するバッフル効果も充分に期待することができる。尚、図３に示す形態では、開口部２９ａ及びダクト２９ｂを設けたバスレフ方式のエンクロージャについて説明したが、開口部２９ａ等を設けずにエンクロージャ内部を完全な気密室にする密閉方式のエンクロージャ（密閉型エンクロージャ）では、バスレフ方式のようにダクトによるヘルムホルツの共鳴効果を利用した低域の特定周波数の増強効果は得られないが、スピーカユニット本来の持っている低域再生能力により低域周波数（２００Ｈｚ以下の領域周波数）を充分に再生することができる。
【００３７】
また、透明ガラス２４ａ、２４ｂによりエンクロージャを構成することで、スピーカ７から発生された音声の振動によって生じるガラス振動の他、エンクロージャ内部の空気が振動することによってその振動がガラスに伝達されガラス自身が共鳴し、二次的にガラス面から音が放出されてあたかもガラス面から直接音声が発生しているような現象を生じさせることができる。エンクロージャ内部の空気の振動によって生じる透明ガラス２４ａ、２４ｂ面の振動は、透明ガラス２４ａ、２４ｂの外周部がガラスフレーム枠２５によって固定されているので、外周部付近での振動の振幅は小さく、中央付近での振動の振幅が大きくなる。そしてこれらの作用により、音声の発生源がスピーカ７としてパチンコ機の前面端部に配設されている他に、透明ガラス２４ａ、２４ｂ面の中央部にも存在しているような感覚を発生させ、その音声発生源の位置が、遊技領域５の中央部に配設されている、例えば、液晶表示器からなる可変表示装置２の位置と一致あるいは近接しているので、液晶表示器の画像に合わせて音声を発生させることにより、より自然な遊技の演出効果を実現することができる。
【００３８】
バスレフ用のダクトは、一般には、円筒形（断面が円）が用いられるが、断面形状は円に限らず多角形であってもよい。但し、いずれの形状の断面も、その断面積がどの位置においても一定であることが望ましい。断面積を一定にすることでダクトを通過する空気の流速を一定にすることができ、音響特性を良好にすることができる。本実施の形態では、断面が長方形になるようにし、前後のガラス壁（透明ガラス２４ａ、２４ｂ）をダクトの２面に利用し、ガラスフレーム枠２５を他の一面に利用し、もう一面には透明ガラス２４ａ、２４ｂ間に配設した樹脂壁を用いて構成している。また、長方形断面の一辺の長さを２枚の透明ガラス２４ａ、２４ｂの間隔と一致させることで、断面積が一定になるようにしている。
【００３９】
図６（ａ）、（ｂ）は、透明ガラスによって構成されるエンクロージャの別の一形態を示したものである。図３に示す形態のものと比較すると、スピーカ７と、開口部２９ａ'及びダクト２９ｂ'とを透明ガラス２４ｂの左下部分に配設させている点、そしてダクト２９ｂ'の延びる方向が開口部２９ａ'から右方向である点（図６（ｂ））で相違しているが、このエンクロージャもバスレフ方式のエンクロージャであり、その他の構成、作用、効果に関しては図３に示す形態のものと同様である。
【００４０】
図７は、透明ガラスによって構成されるエンクロージャのさらに別の一形態を示したものである。このエンクロージャも図３及び図６の形態のものと同様にバスレフ方式のエンクロージャである。図７（ａ）に示されるように、透明ガラス２４'は、円形状を有する２枚の透明ガラス２４ａ'と２４ｂ'とから構成されている。透明ガラス２４ａ'と２４ｂ'とは、所定の間隔（例えば、１０ｍｍの間隔）を置いて、略ぴったりと重なり合う位置に配設される。
【００４１】
この円形状の透明ガラス２４ａ'、２４ｂ'の一部分、例えば、図７（ａ）において下半部の半円部分に、樹脂材によって延長部分３０を形成する。樹脂材は透明ガラス２４ａ'、２４ｂ'と略同じ厚さの板状のものからなり、透明ガラス２４ａ'と２４ｂ'の間の空間部を延長するように、透明ガラス２４ａ'と２４ｂ'と同じ間隔を置いて配置されると共に、透明ガラス２４ａ'と２４ｂ'の下半部の半円部分に接着されている。延長部分３０を追加した全体の形状は、上側を弧状態とする略つり鐘型を有し、その面積は約１６００ｃｍ2（約４０ｃｍ×４０ｃｍ）であり、これは図３に示した透明ガラス２４の面積と同じである。透明ガラス間及び延長部分３０の樹脂材間は約１０ｍｍであるため、透明ガラス２４ａ'−２４ｂ'間と、樹脂材間とには合わせて約１６００ｃｃの空間が形成される。
【００４２】
延長部分３０が形成されていない透明ガラス２４ａ'、２４ｂ'の半円部分の外周部分、図７（ａ）においては上半分の半円外周部分は、樹脂材３１によって固定されている。この樹脂材３１によって、透明ガラス２４ａ'と２４ｂ'とは一定の間隔を置いた位置に支持されると共に、透明ガラス２４ａ'、２４ｂ'の半円部分の外周部の通風部分は密閉される。これに対して、延長部分３０が形成されている側の透明ガラス２４ａ'、２４ｂ'の半円部、７（ａ）においては下半分の半円部は、延長部分３０を構成する樹脂材の外周部分にフレーム枠２５'が取り付けられている。このフレーム枠２５'によって延長部分３０を構成する樹脂材は、透明ガラス２４ａ'と２４ｂ'の間隔と同じ一定の間隔を置いた位置に支持されると共に、延長部分３０の外周部の通風部分は密閉され、外側空間から遮断される。
【００４３】
これにより２枚の透明ガラス２４ａ'−２４ｂ'間と延長部分３０の樹脂材間には、その外周部を樹脂材３１及びフレーム枠２５'によって密閉された空間部が形成される。尚、上記説明では延長部分３０が形成されていない透明ガラス２４ａ'、２４ｂ'の外周部分を樹脂材３１によって固定、密閉する形態について記載したが、例えば、この外周部分も延長部分３０を構成する樹脂材の外周部分と同様に、フレーム枠２５'によって覆い固定、密閉するようにしてもよい。
【００４４】
延長部分３０、図７（ａ）において左下部分には、スピーカ７が取り付けられている。スピーカ７は、図３、図４で説明したものと同様のものである。また、図７に示す形態においては、開口部２９ａ'及びダクト２９ｂ'をスピーカ７と同様に左下の延長部分３０に配設している。図７（ｂ）は、スピーカ７と開口部２９ａ'及びダクト２９ｂ'を設けた延長部分３０の拡大図である。図に示すように、ダクト２９ｂ'が開口部２９ａ'から右方向へ延びるように形成されており、その方向は図６に示す形態のダクトと同様である。上記のような構成によって形成される透明ガラス２４ａ−２４ｂ間と樹脂材間の空間をスピーカの共鳴空間、即ち、エンクロージャとして使用することにより、低音領域を充分に再生することができる。また、その他の構成、作用、効果に関しては図３に示す形態のものと同様である。
【００４５】
図８から図１１に、本願パチンコ機で使用されるスピーカ及びそのエンクロージャのシステム構成例を示す。
図８に示す構成例は、全周波数帯域再生用のフルレンジスピーカに、２枚の透明ガラスにより構成されるエンクロージャを取り付けたものである。図８（ａ）は、音声信号の流れを模式的に示したものである。図示は省略するが、パチンコ機内の主制御基板に搭載された主制御手段（主制御ＣＰＵ）からの制御信号が、音声基板に搭載された音声制御手段（音声制御ＣＰＵ）に入力される。この制御信号に基づいて音声制御手段から音声制御信号が出力され音源３２に入力される。そして音声制御信号に基づいて、遊技内容、例えば、液晶表示器からなる可変表示装置２に表示される映像に対応した音声信号が音源３２から出力され、アンプ３３ａ、３３ｂを介してスピーカ３４ａ、３４ｂに入力される。図８ａに示す形態では、ステレオ信号に対応するため右チャンネル音声信号用のスピーカ３４ａと左チャンネル音声信号用のスピーカ３４ｂを設けているが、モノラル信号出力の場合には、一つのスピーカを設ければよい。
【００４６】
図８（ｂ）は、図１、図２（ａ）に示すパチンコ機１においてガラス枠２２のみを開いた状態を模式的に示したものである。遊技盤の前面を覆うように、ガラスフレーム枠２５（図７に示す形態においてはフレーム枠２５'及び樹脂材３１）に取り付けられた２枚の透明ガラス２４（２４ａ、２４ｂ）が配設されている。図に示す破線円形部分は遊技領域５を表わしている。透明ガラス２４の左右の下部にそれぞれフルレンジスピーカ３４ａと３４ｂを配設している。フルレンジスピーカ３４ａと３４ｂの透明ガラスへの取り付け方法は、図３、図６、図７におけるスピーカ７の取り付けと同様である。フルレンジスピーカ３４ａと３４ｂに透明ガラスにより構成されるエンクロージャを取り付けることにより、低音域を充分に再生することが可能になり、従来設けていた図１に示すスピーカ７'、７"を配設することなくスピーカ３４ａ、３４ｂのみ（モノラル信号のときはいずれか一つのスピーカ）で、全ての周波数帯域をカバーすることができる。
【００４７】
図９に示す構成例は、透明ガラスにより構成されるエンクロージャを有した１個のスーパーウーハー（低域用スピーカ）と、それとは別の小型のエンクロージャに収納した２個のフルレンジスピーカとを取り付けたものである。図９（ａ）は、音声信号の流れを模式的に示したものであり、図８と同様に音声制御手段からの音声制御信号に基づき、遊技内容に対応した音声信号が音源３２から出力される。ステレオ信号の右チャンネル音声信号はアンプ３３ａを介してフルレンジスピーカ３４ａに入力され、左チャンネル音声信号はアンプ３３ｂを介してフルレンジスピーカ３４ｂに入力される。また、右チャンネル音声信号及び左チャンネル音声信号は、加算器３５に入力されている。加算器３５からはモノラル信号が出力され、この出力信号はローパスフィルタ３６に入力される。ローパスフィルタ３６からは超低域（略２００Ｈｚ以下）周波数が出力され、アンプ３７を介してスーパーウーハー３８に入力される。超低音の領域では聴感上ステレオ感がないため使用される信号はモノラル信号で足り、スピーカは一個で足りる。
【００４８】
図９（ｂ）は、図８（ｂ）と同様に、図１、図２（ａ）に示すパチンコ機１においてガラス枠２２のみを開いた状態を模式的に示したものである。透明ガラス２４から外れた位置、ここでは透明ガラス２４の上側の左右にフルレンジスピーカ３４ａ、３４ｂが取り付けられている。フルレンジスピーカ３４ａ、３４ｂは、透明ガラス２４に取り付けられることなく、即ち、透明ガラス２４からなるエンクロージャを有することなくそれぞれ個別の小型の（２００〜４００ｃｃ程度）エンクロージャに取り付けられている。また、透明ガラス２４の左下部にはスーパーウーハー３８が配設されている。スピーカ３８の透明ガラスへの取り付け方法は、図３、図６、図７におけるスピーカ７の取り付けと同様である。スーパーウーハー３８に透明ガラス２４により構成されるエンクロージャを取り付け、図９（ａ）に示すようにローパスフィルタ３６を通過した低音周波数の音声信号を入力することにより、フルレンジスピーカ３４ａ、３４ｂでは充分に再生することができない超低音域を、スーパーウーハー３８によって再生することができる。また、主な可聴周波数帯域の音声信号は、フルレンジスピーカ３４ａ、３４ｂ（例えば、５０ｍｍφ程度の小口径スピーカ）によって再生することができる。
【００４９】
図１０に示す構成例は、透明ガラス２４からなるエンクロージャを有した２個のウーハー（低域用スピーカ）と、それ以外の個別の小型エンクロージャに取り付けられた２個のツイータ（高域用スピーカ）とを取り付けた２ウエイスピーカシステムである。図１０（ａ）は、音声信号の流れを模式的に示したものであり、図８と同様に音声制御手段からの音声制御信号に基づき、遊技内容に対応した音声信号が音源３２から出力される。ステレオ信号の右チャンネル音声信号は、アンプ３３ａを介して、受動回路としてのＲ,Ｌ,Ｃ受動ネットワークハイパスフィルタ３９ａとＲ,Ｌ,Ｃ受動ネットワークローパスフィルタ３６ａとに入力される。ハイパスフィルタ３９ａを通過した高域周波数の音声信号（例えば、１〜３ｋＨｚ以上）はツイータ４０ａに入力され、ローパスフィルタ３６ａを通過した低域周波数（例えば、１〜３ｋＨｚ以下）の音声信号はウーハー３８ａに入力される。同様に、左チャンネル音声信号は、アンプ３３ｂを介して、ハイパスフィルタ３９ｂとローパスフィルタ３６ｂとに入力され、ハイパスフィルタ３９ｂを通過した高域周波数の音声信号はツイータ４０ｂに入力され、ローパスフィルタ３６ｂを通過した低域周波数の音声信号はウーハー３８ｂに入力される。
【００５０】
図１０（ｂ）は、図８（ｂ）と同様に、図１、図２（ａ）に示すパチンコ機１においてガラス枠２２のみを開いた状態を模式的に示したものである。透明ガラス２４から外れた位置、例えば、透明ガラス２４の上側の左右にツイータ（例えば、５０ｍｍφ程度の小口径スピーカ）４０ａ、４０ｂが取り付けられている。ツイータ４０ａ、４０ｂは、透明ガラス２４に取り付けられることなく、即ち、透明ガラス２４からなるエンクロージャを有することなく取り付けられている。また、透明ガラス２４の左右下部にはウーハー３８ａ、３８ｂが配設されている。スピーカ３８ａ、３８ｂの透明ガラスへの取り付け方法は、図３、図６、図７におけるスピーカ７の取り付けと同様である。ウーハー３８ａ、３８ｂに透明ガラス２４により構成されるエンクロージャを取り付け、図１０（ａ）に示すようにローパスフィルタ３６ａ、３６ｂを通過した低音周波数の音声信号を入力することにより、ツイータ４０ａ、４０ｂでは充分に再生することができない低音域を、ウーハー３８ａ、３８ｂによって再生することができる。
【００５１】
この２ウェイスピーカシステムは、図９（フルレンジスピーカで充分再生できない超低音域をスーパーウーハーで補う方法）とは異なり、低音域と高音域の切替周波数を、例えば、１〜３ｋＨｚに設定し（ローパスフィルタ、ハイパスフィルタのカットオフ周波数をそれぞれ設定する）、ウーハー（低域スピーカ）によって下限（ｆo）からクロスオーバ周波数の音を出力し、ツイータ（高域スピーカ）によってクロスオーバ周波数からスピーカの上限までの音を出力する。
【００５２】
図１１に示す構成例は、図１０と同様、エンクロージャを有した２個の低域用スピーカと、それ以外の小型エンクロージャを個別に有した２個の高域用スピーカとを取り付けた２ウエイスピーカシステムである。図１１（ａ）は、音声信号の流れを模式的に示したものであり、図８と同様に音声制御手段からの音声制御信号に基づき、遊技内容に対応した音声信号が音源３２から出力される。また、図１１（ａ）は、図１０（ａ）と比較すると、アンプによって電力増幅される前の小信号レベルの音声信号を、予めフィルタ回路で帯域分割し、それぞれの周波数帯域毎に専用パワーアンプを用意して増幅し、低域用スピーカ及び高域用スピーカに入力する方式を有する点で相違している。
【００５３】
ステレオ信号の右チャンネル音声信号は、受動回路としてのＲ,Ｌ,Ｃ回路からなるハイパスフィルタ３９ｃとローパスフィルタ３６ｃとに入力される。ハイパスフィルタ３９ｃを通過した高域周波数の音声信号は、アンプ３３ｃを介して増幅され高域用スピーカ４０ａに入力され、ローパスフィルタ３６ｃを通過した低域周波数の音声信号は、アンプ３３ｄを介して増幅され低域用スピーカ３８ａに入力される。同様に、左チャンネル音声信号は、ハイパスフィルタ３９ｄとローパスフィルタ３６ｄとに入力され、ハイパスフィルタ３９ｄを通過した高域周波数の音声信号は、アンプ３３ｅを介して高域用スピーカ４０ｂに入力され、ローパスフィルタ３６ｄを通過した低域周波数の音声信号は、アンプ３３ｆを介して低域スピーカ３８ｂに入力される。
【００５４】
図１１（ｂ）は、図８（ｂ）と同様に、図１、図２（ａ）に示すパチンコ機１においてガラス枠２２のみを開いた状態を模式的に示したものであり、高域用スピーカ４０ａ、４０ｂ、低域用スピーカ３８ａ、３８ｂの配設される位置、及びその作用、効果は、図１０（ｂ）の対応する各スピーカと同様である。図１１の方式では、それぞれのスピーカの能率、耐入力が異なっていても、それぞれのスピーカ毎にアンプが専属に存在しているので、個別に調整することができる。例えば、低域用スピーカと高域用スピーカとの能率が異なり、一方の音声出力が大きい場合には、そのアンプの出力を下げるか、他方のアンプの出力を上げることで対応できる。
【図面の簡単な説明】
【００５５】
【図１】本発明に係るパチンコ機の、全体正面図の一形態を示す図である。
【図２】（ａ）は、本発明に係るパチンコ機のガラス枠に蝶着された透明ガラスをを示す図である。（ｂ）は、透明ガラスに取り付けられたスピーカを示す図である。
【図３】透明ガラスによって形成されるエンクロージャの一形態を示す図である。
【図４】（ａ）は、透明ガラスに形成された取り付け穴と、その取り付け穴に取り付けられるスピーカ及びスピーカ枠を示す図である。（ｂ）は、スピーカ枠に取り付けられた状態のスピーカを表わす図である。（ｃ）は、透明ガラスに取り付けられたスピーカ及びスピーカ枠を表わす図である。
【図５】（ａ）（ｂ）は、パチンコ機のガラス枠を閉じた状態におけるスピーカを表わす図である。
【図６】（ａ）は、透明ガラスによって形成されるエンクロージャの一形態を示す図である。（ｂ）は、透明ガラスに取り付けられるスピーカ、開口部およびダクトの拡大図である。（ｃ）は、図（ｂ）の底面を透かした状態の図である。
【図７】（ａ）は、透明ガラス及び延長部分によって形成されるエンクロージャの一形態を示す図である。（ｂ）は、延長部分に取り付けられるスピーカ、開口部およびダクトの拡大図である。（ｃ）は、図（ｂ）の底面を透かした状態の図である。
【図８】（ａ）は、音声信号の流れを模式的に示した図である。（ｂ）は、パチンコ機のガラス枠を開いた状態を模式的に示した図である。
【図９】図８に示す模式図の別の構成例を示す図である。
【図１０】図８に示す模式図の別の構成例を示す図である。
【図１１】図８に示す模式図の別の構成例を示す図である。
【符号の説明】
【００５６】
１    パチンコ機
７、７'、７"  スピーカ
２２  ガラス枠
２３  窓部
２４（２４ａ、２４ｂ）  透明ガラス
２５  ガラスフレーム枠
２６  取り付け部（取り付け穴）
２８  スピーカ枠
２９ａ  開口部
２９ｂ  ダクト
３０  延長部分
【図１】
2006320389.tif 000003
【図２】
2006320389.tif 000004
【図３】
2006320389.tif 000005
【図４】
2006320389.tif 000006
【図５】
2006320389.tif 000007
【図６】
2006320389.tif 000008
【図７】
2006320389.tif 000009
【図８】
2006320389.tif 000010
【図９】
2006320389.tif 000011
【図１０】
2006320389.tif 000012
【図１１】
2006320389.tif 000013